(57)【要約】【課題】移動体に燃料を供給するユーザの状況に応じて適切な処理を行なうことができる情報処理装置を提供する。【解決手段】移動体に燃料を供給する燃料供給装置２０が有するセンサで取得された取得情報、例えば、カメラ２０１等で撮影された画像等、を受け付ける取得情報受付部１０１と、この取得情報受付部１０１が受け付けた画像等の取得情報を解析する解析部１０２と、解析部１０２の解析結果に応じた処理を行なう処理部１０４とを備えた情報処理装置１０である。【選択図】図１
2019218095.tif 000002
【特許請求の範囲】
【請求項１】
移動体に燃料を供給する燃料供給装置が有するセンサで取得された取得情報を受け付ける取得情報受付部と、
前記取得情報受付部が受け付けた取得情報を解析する解析部と、
前記解析部の解析結果に応じた処理を行なう処理部とを備えた情報処理装置。
【請求項２】
前記解析部は、前記取得情報を解析して、予め決められた条件を満たすか否かを判断し、
前記処理部は、前記解析部が予め決められた条件を満たすと判断した場合に、前記解析結果に応じた処理として、安全を担保するための安全担保処理を行なう請求項１記載の情報処理装置。
【請求項３】
前記安全担保処理は、警告の出力を含む請求項２記載の情報処理装置。
【請求項４】
前記安全担保処理は、燃料供給を禁止する制御処理を含む請求項２または請求項３記載の情報処理装置。
【請求項５】
前記解析部は、取得情報を解析して、取得情報内のユーザによる予め決められた物品の保持を検知し、保持が検知された場合に、予め決められた条件を満たすと判断する請求項２から４いずれか一項記載の情報処理装置。
【請求項６】
前記解析部は、取得情報を解析して、取得情報内に複数の人物が存在するか否かを判断し、複数の人物が存在すると判断した場合に、予め決められた条件を満たすと判断する請求項２から５いずれか一項記載の情報処理装置。
【請求項７】
前記解析部は、取得情報を解析して、取得情報内のユーザが静電除去シートにタッチしたことを検知し、タッチが検知されていない場合に、予め決められた条件を満たすと判断する請求項２から６いずれか一項記載の情報処理装置。
【請求項８】
前記燃料供給装置が行なう燃料供給に関連する供給関連情報を取得する取得部と、
前記解析部が取得した解析結果と、前記取得部が取得した供給関連情報とを対応付けて蓄積する解析蓄積部とをさらに備えた請求項１から請求項６いずれか一項記載の情報処理装置。
【請求項９】
前記解析部は、取得情報を解析して取得情報内のユーザが予め登録されたユーザであるか否かを判断し、登録されたユーザである場合に、当該ユーザに対応付けられたユーザ識別子を解析結果として取得する請求項８記載の情報処理装置。
【請求項１０】
ユーザのユーザ識別子と、当該ユーザに関するユーザ情報とが対応付けて格納されるユーザ情報格納部と、
前記解析部が解析結果として取得したユーザ識別子を用いて、前記ユーザ情報格納部から当該ユーザ識別子に対応付けられたユーザ情報を取得して出力するユーザ情報出力部とをさらに備えた請求項９記載の情報処理装置。
【請求項１１】
前記解析部は、取得情報を解析して、取得情報内のユーザに関する属性値を解析結果として取得し、
前記解析部が取得した属性値に応じた属性対応情報を取得して出力する属性対応出力部をさらに備えた請求項１から請求項１０いずれか一項記載の情報処理装置。
【請求項１２】
前記属性対応情報は、広告である請求項１１記載の情報処理装置。
【請求項１３】
前記センサは、カメラであり、
前記センサで取得された取得情報は、当該カメラで撮影された画像である請求項１から請求項１２いずれか一項記載の情報処理装置。
【請求項１４】
前記センサは、赤外線センサであり、
前記センサで取得された取得情報は、当該赤外線センサで撮影された画像である請求項１から請求項１２いずれか一項記載の情報処理装置。
【請求項１５】
前記センサは、赤外線を用いて距離画像を取得する赤外線距離センサであり、
前記センサで取得された取得情報は、当該赤外線距離センサで取得された赤外線距離画像である請求項１から請求項１２いずれか一項記載の情報処理装置。
【請求項１６】
移動体に燃料を供給する燃料供給装置であって、
センサと、
前記センサが取得した取得情報を、請求項１から請求項１５いずれか一項記載の情報処理装置に出力する取得情報出力部とを備えた燃料供給装置。
【請求項１７】
移動体に燃料を供給する燃料供給装置であって、
センサと、
前記センサが取得した情報を解析する解析部と、
前記解析部の解析結果に応じた処理を行なう処理部とを備えた燃料供給装置。
【請求項１８】
取得情報受付部と、解析部と、処理部とを用いて行なわれる情報処理方法であって、
前記取得情報受付部が、移動体に燃料を供給する燃料供給装置が有するセンサで取得された取得情報を受け付ける取得情報受付ステップと、
前記解析部が、前記取得情報受付ステップで受け付けた取得情報を解析する解析ステップと、
前記処理部が、前記解析ステップによる解析結果に応じた処理を行なう処理ステップとを備えた情報処理方法。
【請求項１９】
コンピュータを、
移動体に燃料を供給する燃料供給装置が有するセンサで取得された取得情報を受け付ける取得情報受付部と、
前記取得情報受付部が受け付けた取得情報を解析する解析部と、
前記解析部の解析結果に応じた処理を行なう処理部として機能させるためのプログラム。
【発明の詳細な説明】
【技術分野】
【０００１】
本発明は、燃料供給時の情報を処理する装置等に関するものである。
【背景技術】
【０００２】
従来の技術として、給油機ケース内に、地下の貯油タンクに連通する給油管を立ち上げ、この給油管の途中に、給油モータに連結した給油ポンプ、流量パルス発信器を接続した流量計を順次配設し、給油管の端部を給油機ケース外に導出して、ここに先端に給油ノズルを有する給油ホースを接続した給油装置が知られていた（例えば、特許文献１参照）。
【先行技術文献】
【特許文献】
【０００３】
【特許文献１】特公平７−８４２３３号公報（第１頁、第１図等）
【発明の概要】
【発明が解決しようとする課題】
【０００４】
しかしながら、従来の技術においては、燃料を移動体に供給するユーザの状況に応じて適切な処理を行なうことができない、という課題があった。ユーザの状況とは、例えば、供給時のユーザの動作状況や、ユーザがどのようなユーザであるかという状況である。
【０００５】
例えば、燃料供給時のユーザの動作に応じて、適切な燃料供給の制御を行なうことができなかった。例えば、ユーザが、静電防止シートにタッチせずに、自動車にガソリンの給油を行なおうとした場合であっても、強制的なガソリン給油の停止を行なうことができなかった。また、例えば、タバコ等の火気を所持したユーザが給油を行なおうとしても、強制的にガソリン給油の停止を行なうことができなかった。
【０００６】
このため、従来においては、給油所等の監視員等が、給油所等に設けられた監視カメラ等を用いて給油を行なうユーザを監視して、静電防止シートにタッチせずに給油しようとしたユーザや、火気を所持したユーザが給油を行なおうとしたユーザをチェックし、ユーザに口頭で注意を行なっていた。しかし、このようにすると、給油所等に監視員等を配置しなければならず、効率が悪く労力がかかるとともに、監視が不正確であるとともに、チェック漏れ等の人的ミスが生じる可能性があるという問題があった。
【０００７】
また、例えば、燃料供給を行なうユーザに応じて、ユーザに応じた適切な情報を提供することができなかった。例えば、燃料供給を行なうユーザが、給油を行なう給油所等が運営する特定の会に会員として登録されているユーザであったとしても、会員であることを認識して、会員の情報等を、ユーザに通知することができなかった。
【０００８】
本発明は、上記のような課題を解消するためになされたものであり、移動体に燃料を供給するユーザの状況に応じて適切な処理を行なうことができる情報処理装置および燃料供給装置等を提供することを目的とする。
【課題を解決するための手段】
【０００９】
本発明の情報処理装置は、移動体に燃料を供給する燃料供給装置が有するセンサで取得された取得情報を受け付ける画像受付部と、前記画像受付部が受け付けた画像を解析する解析部と、前記解析部の解析結果に応じた処理を行なう処理部とを備えた情報処理装置である。
【００１０】
かかる構成により、移動体に燃料を供給するユーザの状況に応じて適切な処理を行なうことができる。
【００１１】
また、本発明の情報処理装置は、前記情報処理装置において、前記解析部は、前記画像を解析して、予め決められた条件を満たすか否かを判断し、前記処理部は、前記解析部が予め決められた条件を満たすと判断した場合に、前記解析結果に応じた処理として、安全を担保するための安全担保処理を行なう情報処理装置である。
【００１２】
かかる構成により、移動体に燃料を供給するユーザの状況に応じて、安全を担保することができる。
【００１３】
また、本発明の情報処理装置は、前記情報処理装置において、前記安全担保処理は、警告の出力を含む情報処理装置である。
【００１４】
かかる構成により、移動体に燃料を供給するユーザの状況に応じて、警告を出力して、安全を担保することができる。
【００１５】
また、本発明の情報処理装置は、前記情報処理装置において、前記安全担保処理は、燃料供給を禁止する制御処理を含む情報処理装置である。
【００１６】
かかる構成により、移動体に燃料を供給するユーザの状況に応じて、燃料供給を禁止して、安全を担保することができる。
【００１７】
また、本発明の情報処理装置は、前記情報処理装置において、前記解析部は、画像を解析して、画像内のユーザによる予め決められた物品の保持を検知し、保持が検知された場合に、予め決められた条件を満たすと判断する情報処理装置である。
【００１８】
かかる構成により、ユーザが燃料供給時に予め決められた物品を保持している場合に、安全を担保することができる。
【００１９】
また、本発明の情報処理装置は、前記情報処理装置において、前記解析部は、画像を解析して、画像内に複数の人物が存在するか否かを判断し、複数の人物が存在すると判断した場合に、予め決められた条件を満たすと判断する情報処理装置である。
【００２０】
かかる構成により、燃料供給時に複数の人物が存在する場合に、安全を担保することができる。
【００２１】
また、本発明の情報処理装置は、前記情報処理装置において、前記解析部は、画像を解析して、画像内のユーザが静電除去シートにタッチしたことを検知し、タッチが検知されていない場合に、予め決められた条件を満たすと判断する情報処理装置である。
【００２２】
かかる構成により、ユーザが静電除去シートにタッチしていない場合に、安全を担保することができる。
【００２３】
また、本発明の情報処理装置は、前記情報処理装置において、前記燃料供給装置が行なう燃料供給に関連する供給関連情報を取得する取得部と、前記解析部が取得した解析結果と、前記取得部が取得した供給関連情報とを対応付けて蓄積する解析蓄積部とをさらに備えた情報処理装置である。
【００２４】
かかる構成により、解析結果と、供給関連情報とを対応付けて蓄積することができ、例えば、燃料供給に関連した情報を有効利用することが可能となる。
【００２５】
また、本発明の情報処理装置は、前記情報処理装置において、前記解析部は、画像を解析して画像内のユーザが予め登録されたユーザであるか否かを判断し、登録されたユーザである場合に、当該ユーザに対応付けられたユーザ識別子を解析結果として取得する情報処理装置である。
【００２６】
かかる構成により、燃料供給を行なおうとするユーザのユーザ識別子を、ユーザが動作等を行なわなくても自動的に取得することができる。
【００２７】
また、本発明の情報処理装置は、前記情報処理装置において、ユーザのユーザ識別子と、当該ユーザに関するユーザ情報とが対応付けて格納されるユーザ情報格納部と、前記解析部が解析結果として取得したユーザ識別子を用いて、前記ユーザ情報格納部から当該ユーザ識別子に対応付けられたユーザ情報を取得して出力するユーザ情報出力部とをさらに備えた情報処理装置である。
【００２８】
かかる構成により、燃料供給を行なおうとするユーザの情報を出力することができる。
【００２９】
また、本発明の情報処理装置は、前記情報処理装置において、前記解析部は、画像を解析して、画像内のユーザに関する属性値を解析結果として取得し、前記解析部が取得した属性値に応じた属性対応情報を取得して出力する属性対応出力部をさらに備えた情報処理装置である。
【００３０】
かかる構成により、ユーザの属性に対応した情報を出力することができる。
【００３１】
また、本発明の情報処理装置は、前記情報処理装置において、前記属性対応情報は、広告である情報処理装置である。
【００３２】
かかる構成により、ユーザの属性に対応した広告を出力することができる。
【００３３】
また、本発明の情報処理装置は、前記情報処理装置において、前記センサは、カメラであり、前記センサで取得された取得情報は、当該カメラで撮影された画像である情報処理装置である。
【００３４】
かかる構成により、移動体に燃料を供給するユーザの状況に応じて適切な処理を行なうことができる。
【００３５】
また、本発明の情報処理装置は、前記情報処理装置において、前記センサは、赤外線センサであり、前記センサで取得された取得情報は、当該赤外線センサで撮影された画像である情報処理装置である。
【００３６】
かかる構成により、移動体に燃料を供給するユーザの状況に応じて適切な処理を行なうことができる。
【００３７】
また、本発明の情報処理装置は、前記情報処理装置において、前記センサは、赤外線を用いて距離画像を取得する赤外線距離センサであり、前記センサで取得された取得情報は、当該赤外線距離センサで取得された赤外線距離画像である情報処理装置である。
【００３８】
かかる構成により、移動体に燃料を供給するユーザの状況に応じて適切な処理を行なうことができる。
【００３９】
本発明の燃料供給装置は、移動体に燃料を供給する燃料供給装置であって、センサと、前記センサが取得した取得情報を、前記の情報処理装置に出力する画像出力部とを備えた燃料供給装置である。
【００４０】
かかる構成により、燃料供給を行なうユーザを撮影した画像を、情報処理装置に提供して、ユーザの状況に応じた処理が行なわれるようにすることができる。
【００４１】
本発明の燃料供給装置は、移動体に燃料を供給する燃料供給装置であって、センサと、前記センサが取得した情報を解析する解析部と、前記解析部の解析結果に応じた処理を行なう処理部とを備えた燃料供給装置である。
【００４２】
かかる構成により、移動体に燃料を供給するユーザの状況に応じて適切な処理を行なうことができる。
【発明の効果】
【００４３】
本発明によれば、移動体に燃料を供給するユーザの状況に応じて適切な処理を行なうことができる。
【図面の簡単な説明】
【００４４】
【図１】本発明の実施の形態における燃料供給システムのブロック図
【図２】同燃料供給システムの概念図
【図３】同燃料供給システムの情報処理装置の動作を示すフローチャート
【図４】同燃料供給システムの燃料供給装置の動作を示すフローチャート
【図５】同燃料供給システムの情報処理装置のユーザ認識情報管理表を示す図
【図６】同燃料供給システムの情報処理装置の動作を説明するための画像例を示す図（図６（ａ）〜図６（ｄ））
【図７】同燃料供給システムの情報処理装置のユーザ情報管理表を示す図
【図８】同燃料供給システムの燃料供給装置の表示例を示す図（図８（ａ）〜図８（ｂ））
【図９】同燃料供給システムの情報処理装置の属性対応情報管理表を示す図
【図１０】同燃料供給システムの燃料供給装置の表示例を示す図（図１０（ａ）〜図１０（ｃ））
【図１１】同燃料供給システムの情報処理装置の供給関連情報管理表を示す図
【図１２】同実施の形態におけるコンピュータシステムの外観の一例を示す図
【図１３】同コンピュータシステムの構成の一例を示す図
【発明を実施するための形態】
【００４５】
以下、情報処理装置等の実施形態について図面を参照して説明する。なお、実施の形態において同じ符号を付した構成要素は同様の動作を行うので、再度の説明を省略する場合がある。
【００４６】
（実施の形態）
図１は、本実施の形態における燃料供給システムのブロック図である。
【００４７】
図２は、本実施の形態における燃料供給システムの模式図である。
【００４８】
燃料供給システム１は、情報処理装置１０と、燃料供給装置２０とを備えている。なお、ここでは、燃料供給装置２０が一つである場合について説明するが、燃料供給システム１は、２以上の燃料供給装置２０を備えていても良い。情報処理装置１０と１または２以上の燃料供給装置２０とは、無線または有線のネットワーク等により通信可能となるよう接続されている。
【００４９】
情報処理装置１０は、取得情報受付部１０１、解析部１０２、ユーザ認識情報格納部１０３、処理部１０４、ユーザ情報格納部１０５、ユーザ情報出力部１０６、取得部１０７、供給関連情報格納部１０８、解析蓄積部１０９、属性対応情報格納部１１０、および属性対応出力部１１１を備えている。
【００５０】
燃料供給装置２０は、カメラ２０１、取得情報出力部２０２、受付部２０３、供給機２０４、制御部２０５、出力部２０６、操作受付部２０７、および供給関連出力部２０８を備えている。燃料供給装置２０の正面には、ドーム形状の静電除去シート２１０が取付けられている。また、燃料供給装置２０の正面には、モニタ２０６１と、このモニタ２０６１の画面に設けられたタッチパネル２０７１とが取付けられている。また、燃料供給装置２０には、１以上のホース２１１を介して燃料を供給するノズル２１２が取付けられている。燃料供給装置２０は、燃料計量器と考えてもよい。
【００５１】
燃料供給装置２０は、移動体に燃料を供給する装置である。移動体とは、例えば、自動車や自動二輪車、原動機付き自転車、電動機付自転車等である。燃料とは、移動体が利用する燃料であり、例えば、ガソリンや、軽油、アルコール等の液体燃料、ＬＰガス、水素ガス等の気体燃料、電気等である。以下、本実施の形態においては、燃料が液体燃料であり、移動体が、液体燃料を利用する自動車や、自動二輪等の移動体である場合について説明する。ただし、燃料供給装置２０が供給する燃料は、液体燃料に限定されるものではなく、また、移動体は、液体燃料を利用する移動体に限定されるものではない。
【００５２】
取得情報受付部１０１は、移動体に燃料を供給する燃料供給装置２０が有するセンサが取得した情報である取得情報を受け付ける。以下、本実施の形態においては、燃料供給装置２０が有するセンサが、カメラ２０１であり、センサが取得した取得情報が、カメラ２０１が撮影した画像である例について説明する。すなわち、取得情報受付部１０１が、カメラ２０１が撮影した画像を受け付ける例について説明する。取得情報受付部１０１は、例えば、燃料供給装置２０の取得情報出力部２０２から、カメラ２０１が撮影した画像を受信する。カメラ２０１が撮影した画像とは、例えば、カメラ２０１が燃料供給行なう際のユーザを撮影した画像である。カメラ２０１が撮影した画像とは、例えば、燃料供給行なう際に燃料供給装置２０のカメラ２０１の前に立ったユーザをカメラ２０１が撮影した画像である。カメラ２０１が撮影する画像は、ここでは動画像である場合について説明するが、カメラ２０１が撮影する画像は、１または２以上の静止画像であってもよい。例えば、カメラ２０１が撮影する画像は、予め決められた時間間隔ごとに撮影された複数の静止画像の群であっても良い。カメラ２０１が撮影した画像は、カラー画像であっても良く、モノクローム画像であっても良い。また、カメラ２０１が撮影した画像のフォーマット等は問わない。なお、取得情報受付部１０１による画像の受付は、画像の受信に限定されるものではなく、例えば、信号線等を介してカメラ２０１等が出力する画像の受け付け等であっても良い。
【００５３】
解析部１０２は、取得情報受付部１０１が受け付けた取得情報を解析する。ここでは、解析部１０２が、取得情報受付部１０１が受け付けた画像を解析する例について説明する。解析部１０２は、例えば、画像を解析することにより、画像が予め決められた条件を満たすか否かを判断する。解析部１０２は、例えば、画像内のユーザの状況について解析を行なう。ユーザの状況についての解析とは、ユーザが保持する物品の解析や、ユーザの人数の解析や、ユーザの動作の解析である。以下、解析部１０２が行なう解析および判断の処理の例について説明する。ただし、解析部１０２が行なう解析は、以下の解析に限定されるものではない。
【００５４】
（１）保持する物品についての解析
解析部１０２は、例えば、取得情報受付部１０１が受け付けた画像を解析して、画像内のユーザによる予め決められた物品の保持を検知し、保持が検知された場合に、予め決められた条件を満たすと判断する。予め決められた物品とは、例えば、燃料を供給する際に保持していることが危険と考えられる物品である。予め決められた物品は、例えば、火気である。火気は、例えば、火のついたタバコである。ここでの保持は、例えば、タバコを口にくわえることも含むと考えてよい。また、予め決められた物品は、ライター等であってもよい。また、予め決められた物品は、携帯電話やいわゆるスマートフォン等の携帯端末であってもよい。解析部１０２は、例えば、燃料の引火等を防ぐために、火気等の予め決められた物品の保持を検知する。解析部１０２は、例えば、画像認識を行なって、画像から予め決められた物品を検知する。例えば、解析部１０２は、画像から特徴を分離抽出し、パターンマッチングや変換等を行い、予め決められた物品の特徴を特定し認識する。画像認識は、例えば、予め決められた物品について取得しておいた特徴点の情報や、予め決められた物品の画像等を用いて行なう。例えば、解析部１０２は、予め決められた物品の特徴点と一致する特徴点を有する画像を、取得情報受付部１０１が受け付けた画像から、パターンマッチング等を行なって検知する。この特徴点の情報は、例えば、情報処理装置１０の図示しない格納部に蓄積しておくようにして、解析時に適宜読み出すようにすればよい。なお、解析部１０２が利用する画像認識処理は、上記の画像認識処理に限定されるものではない。特定の物品を検知する画像認識処理については、公知技術であるため、ここでは詳細な説明は省略する。なお、これ以降において解析部１０２が行なう画像認識も、ここで説明した画像認識と同様の画像認識を行なうようにすればよい。この場合、ここでの予め決められた物品は、画像認識により検知する対象物に適宜読み換えるようにすればよい。
【００５５】
（２）人数についての解析
解析部１０２は、例えば、取得情報受付部１０１が受け付けた画像を解析して、画像内に複数の人物が存在するか否かを判断し、複数の人物が存在すると判断した場合に、予め決められた条件を満たすと判断する。例えば、解析部１０２は、画像から、上記と同様に画像認識を行なって人間を検知し、検知した人間の数が、２人以上であるか否かを判断する。２人以上であれば、予め決められた条件を満たすと判断する。一人であれば、予め決められた条件を満たさないと判断する。複数人で燃料の供給を行なうと静電気等が発生して、燃料に引火する場合がある。解析部１０２は、このような燃料の引火を防ぐために、複数の人物が燃料の供給を行なうことを検知する。人間を検知する際には、画像を解析して画像内の人間の顔を検知するようにしても良い。そして、検知した顔が、２以上であれば、条件を満たすと判断し、一つであれば、条件を満たさないと判断しても良い。人の検知や、人間の顔認識については公知であるため、ここでは詳細な説明は省略する。
【００５６】
（３）動作についての解析
解析部１０２は、例えば、取得情報受付部１０１が受け付けた画像を解析して、画像内のユーザの動作が、予め決められた条件を満たすか否かを判断する。解析部１０２は、例えば、取得情報受付部１０１が受け付けた画像を解析して、画像内のユーザが予め決められた動作を行なったか否かを検知し、予め決められた動作を行なったことが検知されていない場合に、予め決められた条件を満たすと判断し、予め決められた動作を行なったことが検知された場合に、予め決められた条件を満たさないと判断する。ここでの、予め決められた動作は、例えば、安全のために、燃料供給の前に必須となる動作である。予め決められた動作は、例えば、燃料供給装置２０に取付けられた静電除去シート２１０をタッチする動作である。例えば、解析部１０２は、画像を解析して、画像内のユーザが静電除去シート２１０をタッチしたことを検知し、タッチされたことが検知された場合、予め決められた条件を満たさないと判断し、タッチされたことが検知されない場合は、予め決められた条件を満たすと判断する。解析部１０２は、例えば、静電除去シート２１０がタッチされたことが検知されるまでは、予め決められた条件を満たすと判断し続けるようにしてもよい。また、静電除去シート２１０がタッチされたことが検知される前に、燃料を供給するガンノズル等と呼ばれるノズル等にタッチする等の予め決められた動作が検知された場合に、予め決められた条件を満たすと判断してもよい。なお、静電除去シート２１０へのタッチのように、解析部１０２による検知の対象が一度行なえばよい動作である場合、解析部１０２は、例えば、この動作を一度検知した後は、検知したことを示すフラグ等の情報を図示しない格納部等に蓄積するようにし、その後の、同じ動作を検知する処理においては、このフラグの情報が検出できれば、取得情報受付部１０１が受け付けた画像からこの動作の検出を行なわなくても、画像内のユーザの動作が、予め決められた条件を満たすという判断結果を取得するようにする。
【００５７】
解析部１０２は、例えば、取得情報受付部１０１が受け付けた画像を解析して、画像内のユーザが予め決められた動作を行なったか否かを判断し、予め決められた動作を行なったことが検知された場合に、予め決められた条件を満たすと判断し、予め決められた動作を行なったことが検知されなかった場合に、予め決められた条件を満たさないと判断してもよい。例えば、解析部１０２は、ユーザが、移動体以外へ燃料供給（例えば、給油）を行なうための動作を行なったか否かを判断し、移動体以外へ燃料供給を行なうための動作を行なったことが検知された場合に、予め決められた条件を満たすと判断し、検知されなかった場合には、予め決められた条件を満たさないと判断してもよい。移動体以外へ燃料供給を行なうための動作とは、例えば、ポリタンクにガソリン等の燃料を供給するための動作であり、例えば、燃料のノズルの移動先が、移動体と重なる位置であるか否かを画像から検知することで、移動体への燃料供給であるか否かを検知することができる。あるいは、解析部１０２は、画像内においてポリタンクを検知し、検知できた場合に、移動体以外への燃料供給であると判断してもよい。
【００５８】
なお、解析部１０２は、画像の解析結果と、燃料供給装置２０に設けられた他のセンサ等（図示せず）が検知した情報等との組合せが、予め決められた条件を満たすか否かを判断するようにしてもよい。例えば、解析部１０２が画像から、ユーザが移動体に燃料供給を行なう予め決められた動作（例えば、移動体の燃料供給口に燃料供給装置のノズル等を差し込む動作）を検知し、この動作の検知が、静電除去シート２１０に設けた圧力センサ（図示せず）がユーザのタッチによる圧力を検知した後である場合には、予め決められた条件を満たさないと判断して安全担保処理を行なわないようにし、上記の動作が、静電除去シート２１０に設けた圧力センサ（図示せず）がユーザのタッチによる圧力を検知していない状況で検知された場合には、予め決められた条件を満たすと判断して安全担保処理を行なうようにしてもよい。
【００５９】
解析部１０２は、例えば、取得情報受付部１０１が受け付けた画像を解析して、画像内のユーザが登録されたユーザであるか否かを判断してもよい。登録されたユーザとは、例えば、特定の組織の一員として登録されているユーザである。特定の組織の一員とは、例えば、特定の会の会員等である。特定の会とは、例えば、給油所等の、燃料の提供を行なうものが運営している顧客向けの会である。例えば、解析部１０２は、取得情報受付部１０１が受け付けた画像から、ユーザの顔の特徴点の情報を取得し、予め蓄積されている１または２以上の登録されたユーザの顔の特徴点の情報から、取得した特徴点の情報と一致する特徴点のユーザを検知する。取得するユーザの特徴点の情報は、例えば、予め決められた特徴点の情報である。ここでは、後述するユーザ認識情報格納部１０３に予め格納されている登録されている１以上のユーザの顔の特徴点の情報を用いてユーザが登録されたユーザであるか否かを判断する場合について説明する。例えば、解析部１０２は、取得情報受付部１０１が受け付けた画像から、ユーザの顔の特徴点の情報を取得し、ユーザ認識情報格納部１０３に格納されている１または２以上の登録されたユーザの顔の特徴点の情報から、取得した特徴点の情報と一致する特徴点の情報を検知し、検知できた場合、登録されたユーザであると判断する。解析部１０２は、登録されたユーザである場合に、例えば、このユーザに対応付けられたユーザ識別子を解析結果として取得する。例えば、解析部１０２は、画像から取得した特徴点の情報と一致する特徴点の情報がユーザ認識情報格納部１０３に格納されている特徴点の情報から検知された場合に、この特徴点の情報に対応付けてユーザ認識情報格納部１０３に格納されているユーザ識別子を取得しても良い。ユーザ識別子は、例えば、ユーザの会員番号等であっても良く、ユーザに割当てられたユニークな文字列等であっても良く、ユーザのメールアドレス等であっても良い。ここでの特徴点の情報の一致は、完全一致であっても良く、部分一致（例えば、閾値以上の一致）であっても良い。なお、登録されたユーザを認識する処理は、顔認証処理等において公知技術であるため、ここでは詳細な説明は省略する。ただし、解析部１０２が行なう登録ユーザであるか否かの判断処理は、上記の処理に限定されるものではない。
【００６０】
また、解析部１０２は、例えば、画像を解析して、取得情報受付部１０１が受け付けた画像内のユーザに関する属性値を解析結果として取得してもよい。ユーザに関する属性値は、例えば、ユーザの性別や、ユーザの年齢や年齢層等を示す値である。例えば、解析部１０２は、取得情報受付部１０１が受け付けた画像から、ユーザの顔や体型等についてユーザの特徴点の情報を取得し、取得した情報を用いてユーザに関する属性値を取得する。例えば、解析部１０２は、ＳＶＭや、ＳＶＲ、深層学習、決定木、ランダムフォレスト等の機械学習等の技術を用いて、画像から取得した特徴点の情報を用いて、ユーザに関する属性値を取得する。例えば、解析部１０２は、、画像から取得した複数のユーザの特徴点の情報と、この複数のユーザのそれぞれに関する属性値とを予め学習させた学習データを用いて、画像から取得した特徴点の情報から、ユーザの属性値を取得する。学習データは、例えば、図示しない格納部等に予め格納されているようにすればよい。なお、機械学習等により、ユーザの特徴点の情報から、ユーザの性別や年齢等を取得する処理は公知技術であるため、ここでは、詳細な説明は省略する。なお、解析部１０２が、ユーザに関する属性値を取得する処理は、上記の処理に限定されるものではない。
【００６１】
ユーザ認識情報格納部１０３には、１または２以上のユーザの顔の特徴点の情報が格納されている。この１または２以上のユーザは、例えば、会員等に予め登録されたユーザである。ここでは、一例として、ユーザ認識情報格納部１０３に、会員等に予め登録されたユーザの顔の特徴点の情報と、このユーザのユーザ識別子とを有する１または２以上のユーザ認識情報が格納されている場合について説明する。例えば、上述した解析部１０２は、画像から取得した特徴点と一致する特徴点を有するユーザ認識情報をユーザ認識情報格納部１０３に格納されているユーザ認識情報から検知し、検知したユーザ認識情報が有するユーザ識別子を取得する。なお、ユーザ認識情報格納部１０３には、１または２以上のユーザの顔の特徴点の情報の代わりに、ユーザの顔の画像等が格納されているようにして、解析部１０２が登録されたユーザ等を検知する際に、格納されている顔の画像からユーザの顔の特徴点の情報を取得するようにしても良い。
【００６２】
ユーザ認識情報格納部１０３は、不揮発性の記録媒体が好適であるが、揮発性の記録媒体でも実現可能である。かかることは、他の格納部についても同様である。
【００６３】
処理部１０４は、解析部１０２の解析結果に応じた処理を行なう。処理部１０４は、例えば、解析部１０２が予め決められた条件を満たすと判断した場合に、解析結果に応じた処理として、安全を担保するための安全担保処理を行なう。例えば、解析部１０２が、上記で（１）〜（３）に示したような判断を行なった結果、予め決められた条件を満たすと判断した場合に、処理部１０４は、解析結果に応じた処理として、安全を担保するための安全担保処理を行なうようにしてもよい。安全担保処理とは、例えば、燃料供給装置２０を用いて燃料供給を行なう際の安全を担保するための処理である。安全担保処理とは、例えば、安全を担保するための警告の出力である。ここでの警告とは、警告を出力するための情報と考えてもよい。警告は、例えば、燃料供給を行えない状況であることを通知する情報や、燃料供給を禁止することを通知する情報や、燃料供給を行なうためにはどのような点を改善すべきかを通知する情報であっても良い。ここでの警告は、警告音や、警告する音声の出力であってもよく、警告するテキストや画像の出力であっても良い。警告は、例えば、上記の（１）〜（３）の判断結果にそれぞれ応じて異なっていてもよい。ここでの警告の出力は、情報処理装置１０が出力しても良く、燃料供給装置２０が出力してもよい。例えば、処理部１０４は、燃料供給装置２０に対し、所望の警告を出力させるための指示等を出力してもよい。ここでの出力は、ネットワーク等を介した送信であってもよい。
【００６４】
また、安全担保処理は、燃料供給を禁止する制御処理であっても良い。燃料供給を禁止する制御処理は、例えば、燃料供給を禁止するよう燃料供給装置２０を制御する処理である。燃料供給を禁止する制御処理とは、燃料を供給するための操作を受け付けなくする制御処理であっても良く、燃料を供給する操作を受け付けても、燃料が供給されないようにする制御処理であってもよい。例えば、処理部１０４は、燃料供給を禁止する制御指示を燃料供給装置２０に出力するようにしても良い。ここでの出力は、ネットワーク等を介した送信であってもよい。
【００６５】
なお、安全担保処理を行なった後に、解析部１０２が予め決められた条件を満たさなくなったことを検知した場合に、処理部１０４は、安全担保処理を終了したり解除したりするようにしてもよい。例えば、警告の出力を終了したり、燃料供給の禁止を終了する制御を出力行なってもよい。例えば、処理部１０４は、警告の出力を終了する指示や、燃料供給の禁止を終了する制御指示を、燃料供給装置２０に送信しても良い。
【００６６】
なお、ここでの出力は、モニタへの表示、音出力、外部の装置への送信、他の処理装置や他のプログラム等への処理結果の引渡し等を含む概念である。ユーザ情報出力部１０６は、モニタやスピーカ等の出力デバイスを含むと考えても含まないと考えても良い。出力部は、出力デバイスのドライバーソフトまたは、出力デバイスのドライバーソフトと出力デバイス等で実現され得る。
【００６７】
ユーザ情報格納部１０５には、ユーザ情報が格納される。ユーザ情報は、上述したような登録されたユーザに関する情報である。例えば、ユーザ情報は、特定の組織に属する会員であるユーザに関する情報である。ユーザ情報は、例えば、ユーザが有しているポイントやクーポン等の特典に関する情報であっても良く、ユーザ情報は、ユーザの名前、年齢、性別、住所等の情報であっても良く、ユーザの特定の組織における階級やクラス等を示す情報であってもよい。ユーザ情報は、これらの２以上の情報を有していてもよい。ユーザ情報は、例えば、対応するユーザのユーザ識別子と対応付けてユーザ情報格納部１０５に格納される。
【００６８】
ユーザ情報出力部１０６は、解析部１０２が解析結果として取得したユーザ識別子を用いて、ユーザ情報格納部１０５からこのユーザ識別子に対応付けられたユーザ情報を取得して出力する。ここでの出力は、モニタへの表示、音出力、外部の装置への送信、他の処理装置や他のプログラム等への処理結果の引渡し等を含む概念である。例えば、ユーザ情報出力部１０６は、取得したユーザ識別子と一致するユーザ識別子を、ユーザ情報格納部１０５に格納されているユーザ識別子の中から検知し、検知したユーザ識別子と対応付けられたユーザ情報を読み出して出力する。例えば、ユーザ情報出力部１０６は、取得したユーザ情報を、燃料供給装置２０に送信する。
【００６９】
ユーザ情報出力部１０６は、モニタやスピーカ等の出力デバイスを含むと考えても含まないと考えても良い。出力部は、出力デバイスのドライバーソフトまたは、出力デバイスのドライバーソフトと出力デバイス等で実現され得る。
【００７０】
取得部１０７は、燃料供給装置２０が行なう燃料供給に関連する供給関連情報を取得する。供給関連情報は、例えば、燃料供給を行なった日時や、供給した燃料の量を示す情報や、供給した燃料の料金の情報や、燃料の種類を示す情報等である。例えば、取得部１０７は、燃料供給装置２０が出力する供給関連情報を取得する。例えば、取得部１０７は、燃料供給装置２０が送信する供給関連情報を受信する。取得部１０７は、例えば、情報を受信する受信手段等を有していても良い。
【００７１】
供給関連情報格納部１０８には、供給関連情報が、解析部１０２が取得した画像の解析結果と対応付けて蓄積される。
【００７２】
解析蓄積部１０９は、解析部１０２が取得した解析結果と、取得部１０７が取得した供給関連情報とを対応付けて蓄積する。ここでの解析結果は、例えば、解析部１０２が取得したユーザ識別子、またはユーザに関する属性値であっても良く、その両方であってもよい。
【００７３】
属性対応情報格納部１１０には、１または２以上の属性対応情報が格納される。属性対応情報は、ユーザの属性値と対応付けて、属性対応情報格納部１１０に格納される。一の属性値と対応付けられて属性対応情報格納部１１０に格納されている属性対応情報は、この属性値に対応づけられた情報である。一の属性値に対応付けられた属性対応情報は、この属性値を有するユーザに対して提供することが好ましい、あるいは提供することが求められる情報である。属性対応情報は、例えば、広告である。例えば、一の属性値に対応付けられた属性対応情報は、この属性値を有するユーザに提供することが望まれる広告である。ここでの広告は、テキストデータの広告であってもよく、静止画像や動画像の広告であってもよく、音声の広告であってもよく、そのデータの種類等は問わない。また、一の属性値に対応付けられた属性対応情報は、この属性値を有するユーザに提供することが望まれるクーポンや景品やサービスの引換券等の特典情報であってもよい。クーポンは、例えば、クーポンコード等であってもよい。
【００７４】
属性対応出力部１１１は、解析部１０２が取得したユーザの属性値に応じて属性対応情報を取得し出力する。例えば、属性対応出力部１１１は、属性対応情報格納部１１０から、解析部１０２が取得したユーザの属性値と予め決められた関係を有する属性値と対応付けられて蓄積されている属性対応情報を取得し出力する。予め決められた関係は、例えば、一致する、という関係であっても良い。例えば、属性対応出力部１１１は、属性対応情報格納部１１０から、解析部１０２が取得したユーザの属性値と一致する属性値と対応付けられて蓄積されている属性対応情報を取得し出力する。ここでの一致は、完全一致であっても良く、部分一致であってもよい。また、予め決められた関係は、包含関係にある関係等であっても良い。ここでの出力は、モニタへの表示、音出力、外部の装置への送信、他の処理装置や他のプログラム等への処理結果の引渡し等を含む概念である。例えば、属性対応出力部１１１は、取得した属性対応情報を燃料供給装置２０に送信する。
【００７５】
属性対応出力部１１１は、モニタやスピーカ等の出力デバイスを含むと考えても含まないと考えても良い。出力部は、出力デバイスのドライバーソフトまたは、出力デバイスのドライバーソフトと出力デバイス等で実現され得る。
【００７６】
カメラ２０１は、燃料供給装置２０が有するセンサである。カメラ２０１は、画像を撮影する。例えば、カメラ２０１は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  ＭＯＳ）等の撮像素子と、レンズ等の光学系を有するカメラである。カメラ２０１は、例えば、可視光に感度を有するカメラである。ただし、赤外線に感度を有するカメラであっても良い。カメラ２０１は、例えば、燃料の供給を行なうユーザが撮影できる位置に設けられており、このユーザを撮影する。カメラ２０１は、通常、燃料供給装置２０の正面に設けられており、正面に位置するユーザを撮影する。燃料供給装置２０の正面とは、例えば、供給する燃料のオーダー等を受け付けるインターフェース（図示せず）等が設けられている面である。カメラ２０１が撮影する画像は、通常、動画像であるが、一定又は不定のタイミング毎に連続して撮影される静止画像であっても良い。
【００７７】
カメラ２０１の光軸方向、取付け位置、画角、画素数、撮影する画像がカラーであるかモノクロームであるか等は問わない。カメラ２０１は、例えば、燃料供給を行なうために燃料供給装置２０の正面に立ったユーザを撮影可能な位置に取付けられていることが好ましい。また、カメラ２０１は、解析部１０２が行なう解析に利用可能な画像が撮影可能な画角や光軸方向、画素数等を有していることが好ましい。例えば、解析部１０２が、ユーザの顔から、解析によってユーザを特定する場合、カメラ２０１は、ユーザの顔が撮影可能となるような光軸方向および画角となるよう燃料供給装置２０に取付けられていることが好ましい。カメラ２０１は、例えば、広角レンズや魚眼レンズ等を備えたカメラであることが好ましい。また、解析部１０２が、ユーザが静電除去シート２１０にタッチした否かを解析する場合、カメラ２０１は、静電除去シート２１０が撮影可能となるような光軸方向および画角となるよう燃料供給装置２０に取付けられていることが好ましい。カメラ２０１が画像の撮影を開始するタイミング等は問わない。例えば、カメラ２０１は、常時、画像を撮影していても良く、ユーザが後述するタッチパネル２０７１等を操作した場合に撮影を開始しても良い。なお、燃料供給装置２０が有するカメラ２０１は、通常一つであるが、複数であっても良い。また、カメラ２０１は、撮影した画像の画角等を補整した画像を、後述する取得情報出力部２０２に渡しても良い。なお、カメラ２０１は、距離画像センサ（図示せず）を用いて距離画像を撮影するカメラであっても良い。
【００７８】
取得情報出力部２０２は、燃料供給装置２０が有するセンサが取得した取得情報を情報処理装置２０に出力する。ここでは、取得情報出力部２０２が、センサであるカメラ２０１が撮影した画像を情報処理装置１０に出力する例について説明する。ここでの出力は、送信であっても良い。例えば、取得情報出力部２０２は、カメラ２０１が撮影した画像を情報処理装置１０に送信する。取得情報出力部２０２は、カメラ２０１が撮影した画像を、タイムラグができるだけ生じないように出力することが好ましい。例えば、取得情報出力部２０２は、無線または有線の通信手段で実現される。
【００７９】
受付部２０３は、情報処理装置１０から出力される情報を受け付ける。受付部２０３は、例えば、情報処理装置１０から出力される警告、燃料供給を禁止するための制御指示、ユーザ情報、および属性対応情報を受け付ける。ここでの受け付けは受信であっても良い。受付部２０３は、例えば、処理部１０４が送信する警告を受信する。また、受付部２０３は、例えば、処理部１０４が送信する燃料供給を禁止するための制御指示を受信する。また、受付部２０３は、例えば、ユーザ情報出力部１０６が送信するユーザ情報を受信する。また、受付部２０３は、例えば、属性対応出力部１１１が送信する属性対応情報を受信する。例えば、受付部２０３は、無線または有線の通信手段で実現される。
【００８０】
供給機２０４は、燃料を供給する処理等を行なう。供給機２０４は、例えば、図示しない燃料タンク、燃料タンクと連通する燃料の経路となる供給管、供給管の途中に設けられた燃料を供給するためのポンプ、流量パルス発振器等と接続された燃料の流量計等を備えている。この供給管の先端（燃料タンクとは反対側の端部）に、ホース２１１を介してノズル２１２が取付けられている。供給機２０４は、例えば、通常のガソリン等の液体燃料の燃料供給装置と同様の構成を有していればよい。供給機２０４の構成は公知であるため、詳細な説明は省略する。なお、供給機２０４の構成は、燃料が供給可能なものであれば、この構成に限定されるものではない。
【００８１】
なお、燃料供給装置２０は、ユーザに対して決済処理等を行なう決済処理部（図示せず）等を有していても良い。決済処理は、例えば、課金処理も含むと考えてもよい。決済処理部については、通常の燃料供給装置等において公知であるため、ここでは詳細な説明は省略する。
【００８２】
制御部２０５は、供給機２０４による燃料の供給を制御する。例えば、制御部２０５は、供給機２０４からの燃料供給の開始や停止を制御する。制御部２０５は、例えば、後述する操作受付部２０７が受け付けた操作に応じて、供給機２０４からの燃料供給の開始や停止を制御する。制御部２０５は、受付部２０３が受け付けた燃料供給を禁止するための制御指示に応じて、燃料供給を行なわないようにする。例えば、制御部２０５は、燃料供給を禁止するための制御指示に応じて、燃料を供給する操作を受け付けられないよう操作受付部２０７等を制御してもよく、燃料を供給する操作を受け付けても供給機２０４が燃料を供給しないよう制御してもよい。燃料を供給する操作を受け付けないようにする制御は、例えば、供給機２０４がノズル２１２から液体燃料を供給するものである場合、供給機２０４に接続されたノズル２１２の燃料を供給するためのレバーを引けないようにロックすることや、レバーを引いても、燃料を供給する指示が、供給機２０４が有する燃料を送り出すポンプ（図示せず）に送信されないようにすることであっても良い。なお、燃料供給を禁止する制御は、かかる制御に限定されるものではない。
【００８３】
制御部２０５は、供給機２０４等から上述したような供給関連情報を取得する。また、制御部２０５は、カメラ２０１や取得情報出力部２０２等の他の処理部の処理を制御してもよい。また、制御部２０５は、上述したような図示しない決済処理部の処理を制御してもよい。なお、制御部２０５は、受付部２０３が燃料供給の禁止を終了する制御指示を受け付けた場合、この制御指示に応じて、燃料供給の禁止を終了してもよい。燃料供給の禁止を終了する、ということは、例えば、供給機２０４を燃料供給可能な状態に制御することである。
【００８４】
出力部２０６は、例えば、受付部２０３が受け付けた警告の出力を行なう。例えば、出力部２０６は、受付部２０３が受け付けたユーザ情報を出力する。また、出力部２０６は、例えば、受付部２０３が受け付けた広告等の属性対応情報を出力する。ここでの出力は、表示であっても良く、音声出力であっても良く、これらの組合せであっても良い。なお、出力部２０６は、例えば、燃料供給装置２０に対する操作や、料金決済のための操作等を受け付けるための操作メニュー画面等を表示してもよい。出力部２０６は、表示を、例えば、燃料供給装置２０の正面に設けられたモニタ２０６１を用いて行なう。ただし、出力部２０６が利用する表示デバイスはモニタ２０６１に限定されるものではない。また、出力部２０３が警告の出力を終了する指示を受付部２０３が受け付けた場合、この指示に応じて警告の表示を終了しても良い。
【００８５】
操作受付部２０７は、燃料供給装置２０に対する操作を受け付ける。例えば、操作受付部２０７は、燃料供給を行なうための操作や、料金決済のための操作等を受け付けてもよい。操作受付部２０７は、例えば、出力部２０６が表示する操作メニュー画面等を介して操作を受け付ける。ここでは、操作受付部２０７がタッチパネル２０７１を介して操作を受け付ける場合を例に挙げて説明する。ただし、操作受付部２０７が操作を受け付ける入力デバイス等は、タッチパネル２０７１に限定されるものではない。例えば、操作受付部２０７は、図示しないボタン等を介して操作を受け付けても良い。
【００８６】
供給関連出力部２０８は、制御部２０５が取得した供給関連情報を情報処理装置１０に出力する。ここでの出力は、例えば、送信である。例えば、取得情報出力部２０２は、無線または有線の通信手段で実現される。
【００８７】
次に、情報処理装置１０の動作の一例について図３のフローチャートを用いて説明する。
【００８８】
（ステップＳ１０１）取得情報受付部１０１は、カメラ２０１が撮影した画像の受け付け（例えば、受信）を開始するか否かを判断する。例えば、取得情報受付部１０１は、画像を受け付けていない状態において、新たに画像を受け付けた場合に、画像の受付を開始する。取得情報受付部１０１は、画像の受け付けを開始すると判断した場合、カメラ２０１が順次撮影する画像の受け付けを開始し、ステップＳ１０２に進む。また、画像の受け付けを開始しない場合、ステップＳ１０１に戻る。
【００８９】
（ステップＳ１０２）解析部１０２は、取得情報受付部１０１が受け付けた画像を解析して、ユーザが登録されたユーザであるか否かを判断する。登録されたユーザである場合、このユーザのユーザ識別子を取得し、ステップＳ１０３に進み、登録されたユーザでない場合、ステップＳ１０４に進む。
【００９０】
（ステップＳ１０３）ユーザ情報出力部１０６は、ステップＳ１０２で取得されたユーザ識別子に対応するユーザ情報をユーザ情報格納部１０５から取得して出力する。ここでの出力は、例えば、燃料供給装置２０への送信である。そして、ステップＳ１０５に進む。
【００９１】
（ステップＳ１０４）ユーザ情報出力部１０６は、登録されたユーザでないことを示す情報を出力する。ここでの出力は、例えば、燃料供給装置２０への送信である。そして、ステップＳ１０５に進む。
【００９２】
（ステップＳ１０５）解析部１０２は、取得情報受付部１０１が受け付けた画像を解析して、ユーザの属性値を取得する。
【００９３】
（ステップＳ１０６）属性対応出力部１１１は、ステップＳ１０５で取得した属性対応情報を属性対応情報格納部１１０から取得して出力する。ここでの出力は、例えば、燃料供給装置２０への送信である。
【００９４】
（ステップＳ１０７）解析部１０２は、取得情報受付部１０１が受け付けた画像を解析して、ユーザが予め決められた物品を保持しているか否かを検知し、検知した結果が予め決められた条件を満たすか否かを判断する。例えば、燃料供給時に保持していることが禁止されている物品を保持していることを検知した場合、予め決められた条件を満たすと判断し、保持していない場合、条件を満たさないと判断する。予め決められた条件を満たす場合、ステップＳ１０８に進み、満たさない場合、ステップＳ１１１に進む。
【００９５】
（ステップＳ１０８）処理部１０４は、安全担保処理を行なう。例えば、処理部１０４は、安全担保処理として、燃料供給を禁止する制御指示と、物品の保持に関する警告とを燃料供給装置２０へ送信する。
【００９６】
（ステップＳ１０９）解析部１０２は、取得情報受付部１０１が受け付けた画像を解析して、ユーザが予め決められた物品を保持しているか否かを検知し、検知した結果が予め決められた条件を満たすか否かを判断する。条件を満たす場合、ステップＳ１０９に戻り、条件を満たさない場合、ステップＳ１１０に進む。
【００９７】
（ステップＳ１１０）処理部１０４は、安全担保処理を終了する。例えば、処理部１０４は、燃料供給の禁止を終了する制御指示と、物品の保持に関する警告の出力を終了する指示とを、燃料供給装置２０へ送信する。
【００９８】
（ステップＳ１１１）解析部１０２は、取得情報受付部１０１が受け付けた画像を解析して、ユーザの人数を検知し、人数が複数であるか否かを検知する。そして、検知した結果が予め決められた条件を満たすか否かを判断する。例えば、人数が複数である場合、予め決められた条件を満たすと判断し、複数でない場合、条件を満たさないと判断する。予め決められた条件を満たす場合、ステップＳ１１２に進み、満たさない場合、ステップＳ１１５に進む。
【００９９】
（ステップＳ１１２）処理部１０４は、安全担保処理を行なう。例えば、処理部１０４は、燃料供給を禁止する制御指示と、複数の人数が燃料供給装置２０の近くにいることに関する警告とを、燃料供給装置２０へ送信する。
【０１００】
（ステップＳ１１３）取得情報受付部１０１が受け付けた画像を解析して、ユーザの人数を検知し、人数が複数であるか否かを検知する。そして、検知した結果が予め決められた条件を満たすか否かを判断する。条件を満たす場合、ステップＳ１１３に戻り、条件を満たさない場合、ステップＳ１１４に進む。
【０１０１】
（ステップＳ１１４）処理部１０４は、安全担保処理を終了する。例えば、処理部１０４は、燃料供給の禁止を終了する制御指示と、複数の人数が燃料供給装置２０の近くにいることに関する警告の出力を終了する指示とを、燃料供給装置２０へ送信する。
【０１０２】
（ステップＳ１１５）解析部１０２は、取得情報受付部１０１が受け付けた画像を解析して、ユーザが予め決められた動作を行なったか否かを検知し、検知した結果が予め決められた条件を満たすか否かを判断する。例えば、静電除去シート２１０へのタッチ等の燃料供給時に必須の予め決められた動作が行なわれていない場合、予め決められた条件を満たすと判断し、動作が行なわれた場合、条件を満たさないと判断する。予め決められた条件を満たす場合、ステップＳ１１６に進み、満たさない場合、ステップＳ１１９に進む。なお、静電除去シート２１０へのタッチのように、予め決められた動作が、給油を行なう際に一度行なえばよい動作である場合、解析部１０２は、例えば、このステップや、後述するステップＳ１１７において、一度、ユーザが予め決められた動作を行なったことが検知された場合、フラグ等の情報を図示しない格納部等に蓄積するようにして、その後のこのステップＳ１１５の処理においては、解析部１０２は、このフラグ等の情報が格納されていることが検知された場合、画像を解析せずに、動作の検知結果が予め決められた条件を満たさないと判断するようにする。
【０１０３】
（ステップＳ１１６）処理部１０４は、安全担保処理を行なう。例えば、処理部１０４は、燃料供給を禁止する制御指示と、予め決められた動作を行なわれていないことに関する警告とを、燃料供給装置２０へ送信する。
【０１０４】
（ステップＳ１１７）解析部１０２は、取得情報受付部１０１が受け付けた画像を解析して、ユーザが予め決められた動作を行なったか否かを検知し、検知した結果が予め決められた条件を満たすか否かを判断する。条件を満たす場合、ステップＳ１１７に戻り、条件を満たさない場合、ステップＳ１１８に進む。
【０１０５】
（ステップＳ１１８）処理部１０４は、安全担保処理を終了する。例えば、処理部１０４は、燃料供給の禁止を終了する制御指示と、予め決められた動作を行なわれていないことに関する警告の出力を終了する指示とを、燃料供給装置２０へ送信する。
【０１０６】
（ステップＳ１１９）取得情報受付部１０１は、画像の受け付けが終了したか否かを判断する。例えば、燃料供給装置２０からの画像の送信が終了したか否かを判断する。終了した場合、ステップＳ１２０に進み、終了していない場合、ステップＳ１０７に戻る。
【０１０７】
（ステップＳ１２０）取得部１０７は、供給関連情報を取得したか否かを判断する。例えば、燃料供給装置２０から供給関連情報を受信したか否かを判断する。供給関連情報を取得した場合（例えば、受信した場合）、ステップＳ１２１に進み、取得していない場合、ステップＳ１２０に戻る。
【０１０８】
（ステップＳ１２１）解析蓄積部１０９は、ステップＳ１２０で取得した供給関連情報を、解析部１０２が上記で取得した解析結果のうちの予め指定された１以上を対応付けて供給関連情報格納部１０８に蓄積する。上記で取得した解析結果は、例えば、ユーザ識別子であっても良く、ユーザの属性値であっても良い。なお、解析部１０２が上記以外の解析を行なうようにし、解析によって取得した解析結果を、解析蓄積部１０９が供給関連情報と対応付けて蓄積するようにしても良い。そして、ステップＳ１０１に戻る。
【０１０９】
なお、図３のフローチャートにおいて、解析部１０２が複数の解析を行なう順番等は、上記の順番に限定されるものではない。例えば、ステップＳ１１５からステップＳ１１８までの処理は、ステップＳ１０７の前に行なうようにしても良い。
【０１１０】
なお、図３のフローチャートにおいて、電源オフや処理終了の割り込みにより処理は終了する。
【０１１１】
次に、燃料供給装置２０の動作の一例について図４のフローチャートを用いて説明する。なお、ここでは、燃料供給装置２０が行なう決済処理や、供給する燃料に関するオーダーを受け付ける処理等は省略する。
【０１１２】
（ステップＳ２０１）カメラ２０１は、撮影開始のタイミングであるか否かを判断する。例えば、操作受付部２０７が燃料供給をオーダーするための操作（例えば、燃料供給開始のためのメニュー項目の選択やボタンの押下等）を受け付けた場合に、カメラ２０１は撮影開始のタイミングであると判断しても良い。また、図示しない赤外線センサ等のセンサが、ユーザが燃料供給装置２０の正面に居ることを検知した場合に、カメラ２０１は撮影開始のタイミングであると判断してもよい。撮影開始のタイミングである場合、ステップＳ２０２に進み、撮影開始のタイミングでない場合、ステップＳ２０１に戻る。
【０１１３】
（ステップＳ２０２）カメラ２０１は、撮影を開始して画像を取得する。カメラ２０１は、例えば、連続的に撮影を行なって動画像を取得する。
【０１１４】
（ステップＳ２０３）取得情報出力部２０２は、カメラ２０１が撮影した画像を情報処理装置１０に出力する。ここでの出力は、例えば送信である。
【０１１５】
（ステップＳ２０４）受付部２０３は、ユーザ情報を情報処理装置１０から受け付けたか否か（例えば、受信したか否か）を判断する。受け付けた場合、ステップＳ２０５に進み、受け付けていない場合、ステップＳ２０６に進む。
【０１１６】
（ステップＳ２０５）出力部２０６は、ステップＳ２０４で受け付けたユーザ情報を出力する。例えば、出力部２０６は、ユーザ情報をモニタ２０６１に表示してもよく、図示しないスピーカ等からユーザ情報を音声出力してもよい。そして、ステップＳ２０７に進む。
【０１１７】
（ステップＳ２０６）受付部２０６は、登録されたユーザでないことを示す情報を情報処理装置１０から受け付けたか否か（例えば、受信したか否か）を判断する。受け付けた場合、ステップＳ２０７に進み、受け付けていない場合、ステップＳ２０６に戻る。
【０１１８】
（ステップＳ２０７）受付部２０３は、情報処理装置１０から属性対応情報を受け付けたか（受信したか）否かを判断する。受け付けた場合、ステップＳ２０８に進み、受け付けていない場合、ステップＳ２０７に戻る。
【０１１９】
（ステップＳ２０８）出力部２０６は、ステップＳ２０７で受け付けた属性対応情報を出力する。例えば、出力部２０６は、受け付けた属性対応情報である広告の画像や音声を、モニタ２０６１や図示しないスピーカ等から出力する。
【０１２０】
（ステップＳ２０９）受付部２０３は、燃料供給の禁止の制御指示と、警告とを受け付けたか否かを判断する。例えば、燃料供給の禁止の制御指示と、警告とを、情報処理装置１０から受信したか否かを判断する。受け付けた場合（例えば、受信した場合）、ステップＳ２１０に進み、受け付けていない場合、ステップＳ２１４に進む。
【０１２１】
（ステップＳ２１０）制御部２０５は、ステップＳ２０９で受け付けた制御指示に応じて、燃料供給の禁止の制御を行なう。例えば、操作受付部２０７等が燃料を供給する操作を受け付けないように制御してもよく、燃料を供給する操作を受け付けても、供給機２０４が燃料を供給しないよう供給機２０４等を制御しても良い。ここで受け付ける燃料供給の禁止の制御指示および警告は、図３において説明したステップＳ１０８、ステップＳ１１２、およびステップＳ１１６のいずれのステップで出力されたものであっても良い。
【０１２２】
（ステップＳ２１１）出力部２０６は、ステップＳ２０９で受け付けた警告を出力する。
【０１２３】
（ステップＳ２１２）受付部２０３は、燃料供給の禁止を終了する制御指示と、警告の出力を終了する指示とを受け付けたか否か（例えば、情報処理装置１０から受信したか否か）を判断する。受け付けていない場合、ステップＳ２１２に戻り、受け付けた場合、ステップＳ２１３に進む。
【０１２４】
（ステップＳ２１３）制御部２０５は、ステップＳ２１２で受け付けた制御指示に応じて、ステップＳ２１０で行なった燃料供給を禁止する制御を終了して、燃料供給を可能な状況とする。例えば、燃料の供給中に、燃料供給を禁止する制御によって、燃料の供給が中断された場合においては、燃料の供給を再開可能な状態とする。また、出力部２０６は、ステップＳ２１２で受け付けた指示に応じて、ステップＳ２１０で行なった警告の出力を終了する。そして、ステップＳ２０９に戻る。
【０１２５】
（ステップＳ２１４）操作受付部２０７は、燃料を供給する操作をユーザから受け付けたか否かを判断する。燃料を供給する操作は、例えば、ノズル２１２に設けられた燃料を供給する図示しないレバー等を握る操作である。受け付けた場合、ステップＳ２１４に進み、受け付けていない場合、ステップＳ２０９に戻る。なお、既に、燃料を供給する操作をユーザから受け付けている場合や、既に燃料を供給する操作を受け付けて、燃料の供給が行なわれている場合等も、ここでは、燃料を供給する操作を受け付けたと判断しても良い。
【０１２６】
（ステップＳ２１５）供給機２０４は、燃料を供給する。
【０１２７】
（ステップＳ２１６）供給機２０４は、燃料供給を終了するか否かを判断する。例えば、予め決められた量の燃料が供給された時点で燃料供給を終了する。終了する場合、ステップＳ２１６に進み、終了しない場合、ステップＳ２０９に戻る。
【０１２８】
（ステップＳ２１７）カメラ２０１は撮影を終了する。また、取得情報出力部２０２は、画像の出力を終了する。
【０１２９】
（ステップＳ２１８）供給関連出力部２０８は、制御部２０５から供給関連情報を取得し、情報処理装置１０に出力（例えば、送信）する。そして、ステップＳ２０１に戻る。
【０１３０】
なお、図４のフローチャートにおいて、電源オフや処理終了の割り込みにより処理は終了する。
【０１３１】
（具体例）
以下、本実施の形態における燃料供給システム１の具体的な動作について一例を挙げて説明する。ここでは、燃料供給装置２０が、レギュラーガソリン、いわゆるハイオクガソリンと呼ばれる高オクタン価ガソリン、および軽油を供給可能なものである場合を例に挙げて説明する。
【０１３２】
ユーザが、ガソリンの給油を行なうために、移動体である自動車を燃料供給装置２０の前に駐車して、自動車から降りて、燃料供給装置２０の正面に立ったとする。そして、給油を行なうために、モニタ２０６１に表示される給油をオーダーするためのメニューボタンを、タッチパネル２０７１を介して押したとする。操作受付部２０７がこの操作を受け付けると、カメラ２０１は、撮影を行なうタイミングであると判断して、燃料供給装置２０の正面のユーザの撮影を開始する。取得情報出力部２０２は、カメラ２０１が取得した動画像を、順次、情報処理装置１０に対して送信する。ここでは、カメラ２０１は、広角レンズ（図示せず）を有しているものとする。
【０１３３】
情報処理装置１０の取得情報受付部１０１は、燃料供給装置２０から画像が送信されると、この画像の受信を開始する。
【０１３４】
図５は、ユーザ認識情報格納部１０３に格納されているユーザ認識情報を管理するユーザ認識情報管理表である。ユーザ認識情報管理表は、「ユーザＩＤ」および「特徴点」という属性を有している。「ユーザＩＤ」は、ユーザ識別子であり、ここでは、例えば、ユーザの会員番号であるとする。「特徴点」は、ユーザの顔の特徴点の情報であり、ここでは、複数の特徴点の情報が格納されたファイルのファイル名を示している。ユーザ認識情報管理表の各レコード（行）が、それぞれのユーザに対応したユーザ認識情報であるとする。このユーザ認識情報管理表は、燃料供給装置２０を用いた給油を提供する企業が運営する会員制度の会員として予め登録されたユーザのユーザ識別子と、そのユーザの顔の特徴点の情報とを有するユーザ認識情報を管理するものであるとする。
【０１３５】
図６（ａ）〜図６（ｄ）は、解析部１０２が行なう解析を説明するための、取得情報受付部１０１が受信した画像の１フレームを示す図である。各画像には、ドーム形状の静電除去シート２１０が写っているものとする。
【０１３６】
図７は、ユーザ情報格納部１０５に格納されているユーザ情報を管理するユーザ情報管理表を示す図である。ユーザ情報管理表は、「ユーザＩＤ」と「ユーザ情報」という属性を有している。「ユーザ情報」は、さらに「ポイント数」と「氏名」という属性を有している。「ユーザＩＤ」については、図５の「ユーザＩＤ」と同様である。「ユーザ情報」は、ユーザ情報である。「ポイント数」は、ユーザが有するポイント数であるとする。ポイント数とは、例えば、給油に関して発生する料金の支払の割引に利用できるポイントの値や、物品に交換可能なポイントの値である。「氏名」は、ユーザの氏名である。ここでは、ユーザ情報が、ポイント数と、氏名とで構成されている
【０１３７】
図８（ａ）は、出力部２０６によるユーザ情報の表示例を示す図であり、図８（ｂ）は、出力部２０６による属性対応情報の表示例を示す図である。
【０１３８】
解析部１０２は、取得情報受付部１０１が受信した画像を解析して、画像に撮影されているユーザが登録されたユーザであるか否かを判断する。例えば、取得情報受付部１０１が受信した画像が、図６（ａ）に示すような画像であったとすると、解析部１０２は、まず、ユーザの顔６１を認識し、認識したユーザの顔６１から複数の特徴点の情報を取得する。そして、図５に示したユーザ認識情報管理表の各レコードの中から、「特徴点」の属性値が示すファイルが有する複数の特徴点が、ユーザの顔６１から取得した複数の特徴点と一致するレコードを検出する。ここでは、複数の特徴点のうちの予め設定された閾値以上の比率が一致（例えば、特徴点が９０％以上一致等）する場合、顔から取得した複数の特徴点と、一のレコードの「特徴点」の属性値が示すファイルが有する複数の特徴点とが一致すると判断する。そして、一致するレコードが検出できた場合、解析部１０２は、検出されたレコードの「ユーザＩＤ」の属性値を取得する。ここでは、「特徴点」の情報が一致するレコードが検出され、そのレコードの「ユーザＩＤ」である「Ｍ１００３」を解析部１０２が取得したとする。
【０１３９】
ユーザ情報出力部１０６は、図７に示したユーザ情報管理表のレコード（行）の中から、「ユーザＩＤ」の属性値が、解析部１０２が上記で取得した「ユーザＩＤ」である「Ｍ１００３」と一致するレコードを検出し、検出したレコードの「ポイント数」の属性値である「７５０」と「氏名」の属性値である「木村Ｃ助」を取得する。そして、ユーザ情報出力部１０６は、取得したユーザ情報であるポイント数「７５０」と氏名「木村Ｃ助」とを、燃料供給装置２０に送信する。
【０１４０】
燃料供給装置２０の受付部２０３は、ユーザ情報であるポイント数「７５０」と氏名「木村Ｃ助」とを情報処理装置１０から受信する。出力部２０６は、受信したポイント数と氏名とを、図８（ａ）に示すようにモニタ２０６１に表示する。受信した情報は、例えば、予め用意されたテンプレート等に配置して表示される。このようにして、ユーザの顔を自動的に認識して、ユーザ情報を燃料供給装置２０のモニタ２０６１に表示することができる。
【０１４１】
なお、ユーザ認識情報管理表において「特徴点」の情報が一致するレコードが検出できず、登録されたユーザであると判断できなかった場合、上記のようなユーザ情報等を取得する処理は行なわない。
【０１４２】
次に、解析部１０２は、上記のように画像から取得したユーザの顔の特徴点から、図示しない格納部等に予め格納されている学習データを用いて、ユーザの属性値を取得する。ここでは、属性値として性別と年齢層とを示す情報を取得する。ここで用いられる学習データは、例えば、複数のユーザから取得した各ユーザの顔の特徴点と、各ユーザの性別と、各ユーザの年齢とを学習データである。解析部１０２は、属性値として、性別「男性」および年齢層「４０代」という情報を取得したとする。
【０１４３】
図９は、属性対応情報格納部１１０に格納されている属性対応情報を管理する属性対応情報管理表を示す図である。属性対応情報管理表は、「性別」、「年齢層」、および「属性対応情報」という属性を有している。「性別」は、ユーザの性別、「年齢層」は、ユーザの年齢層、「属性対応情報」は、広告の情報であり、ここでは、広告の動画像のファイル名を示している。この「属性対応情報」が示す広告の情報は、同じレコードの「性別」および「年齢層」が示す性別および年齢層のユーザをターゲットとした広告の情報であるとする。
【０１４４】
図１０（ａ）〜図１０（ｃ）は、出力部２０６が出力する警告の表示例である。
【０１４５】
属性対応出力部１１１は、図９に示す属性対応情報管理表において、「性別」の属性値が「男性」であり、かつ「年齢層」の属性値が「４０代」であるレコードを検出し、検出したレコードの「属性対応情報」の属性値である「ｍ４０．ｍｐ４」を取得する。そして、属性対応情報であるファイル名が「ｍ４０．ｍｐ４」である広告の動画像のファイルを取得し、取得したファイルを燃料供給装置２０に送信する。
【０１４６】
燃料供給装置２０の受付部２０３が属性対応情報であるファイル名が「ｍ４０．ｍｐ４」である動画像のファイルを受信すると、出力部２０６は、図８（ｂ）に示すように、この動画像のファイルを燃料供給装置２０のモニタ２０６１に表示する。これにより、ユーザの性別および年齢層にあった広告の動画像がモニタ２０６１に表示される。
【０１４７】
なお、ここでは、燃料供給装置２０の操作受付部２０７は、例えば、上記のような給油をオーダーするための操作を受け付けたあと、属性対応情報である広告の出力が終了するまでの間に、給油の種類や、給油量を指定する操作や、料金支払等の操作を受け付けていたとする。そして、この操作の受け付けに応じて、燃料供給装置２０が、ユーザによるノズル２１２のレバー（図示せず）の操作に応じて給油が可能な状態となっていたとする。ここでの給油の種類や、給油量を指定する操作の受け付けは、例えば、出力部２０６がモニタ２０６１に表示する給油の種類や、給油量、支払方法等を受け付けるためのメニュー画面等により受け付けるようにすればよい。
【０１４８】
情報処理装置１０の解析部１０２は、取得情報受付部１０１が受け付けた画像を解析して、ユーザが、予め決められた物品を保持していることを検知する処理を行なう。ここでは、予め決められた物品がタバコであるとする。すなわち、解析部１０２は、ユーザがタバコを保持していることを検知する処理を行なう。ここでは、例えば、取得情報受付部１０１が受け付けた画像が、上述したような図６（ａ）に示したような画像であるとすると、解析部１０２はこの画像内において画像認識を行なって、タバコを検知する処理を行なう。そして、タバコが検知されなかった場合、解析部１０２は、ユーザが予め決められた物品を保持していることに関して、予め決められた条件を満たさないと判断する。例えば、図６（ａ）においては、タバコが検知されないため、解析部１０２は予め決められた条件を満たさないと判断する。このため、処理部１０４は、安全担保処理を行なわない。そして、解析部１０２は、後述するように、人数について解析を行なう。
【０１４９】
ここで、仮に、取得情報受付部１０１が受け付けた画像が、図６（ｂ）に示すような画像であり、この画像から画像認識によりタバコ６２が検知されたとすると、解析部１０２は、ユーザが予め決められた物品を保持していることに関して、予め決められた条件を満たすと判断する。このため、処理部１０４は、安全担保処理として、給油を禁止する制御指示と、タバコを保持していることに関する警告とを、燃料供給装置２０に送信する。タバコを保持していることに関する警告は、例えば、タバコを保持しているために給油ができないこと、およびタバコを捨てることをユーザに求める警告のテキストの情報であるとする。この警告は、予め図示しない格納部等に格納されているものとする。
【０１５０】
燃料供給装置２０の受付部２０３が、情報処理装置１０の処理部１０４が送信する給油を禁止する制御指示と、警告とを受信すると、燃料供給装置２０の制御部２０５は、受信された制御指示に応じて、供給機２０４が燃料を供給しないように制御する。具体的には、燃料供給装置２０のノズル２１２に設けられた給油を行なうレバー（図示せず）を握ったとしても、燃料がノズル２１２から供給できないように、供給機２０４を制御する。例えば、給油を行なうレバー（図示せず）を握っても、供給機２０４の燃料を供給するポンプ（図示せず）が動作しないよう制御する。
【０１５１】
また、出力部２０６は、受付部２０３が受信した警告を図１０（ａ）に示すように、モニタ２０６１に表示する。
【０１５２】
情報処理装置１０の解析部１０２は、予め決められた物品であるタバコを保持していることを一旦検知した場合、再度、取得情報受付部１０１が受け付ける画像を解析して、ユーザが、タバコを保持していることを検知する処理を、予め決められた物品を保持していることが検知されなくなるまで繰り返し行なう。これにより、ユーザが予め決められた物品であるタバコを保持している間は、安全担保処理が継続されることとなる。そして、解析部１０２が、ユーザがタバコを保持していることを検知しなくなった場合、解析部１０２は、予め決められた条件を満たさないと判断する。この判断に応じて、処理部１０４は、給油の禁止を終了する制御指示と、警告の出力を終了する指示とを燃料供給装置２０に送信する。そして、解析部１０２は、人数に関する解析を行なう。
【０１５３】
燃料供給装置２０の受付部２０３が、情報処理装置１０の処理部１０４が送信する給油の禁止を終了する制御指示と、警告の出力を終了する指示とを受信すると、燃料供給装置２０の制御部２０５は、受信された制御指示に応じて、供給機２０４による給油の禁止を終了し、給油可能な状態となるよう制御する。また、出力部２０６は警告の出力を終了する。
【０１５４】
上記のように、ユーザが保持する物品（ここでは、タバコ）について予め決められた条件を満たさないと判断した場合、解析部１０２は、画像内に複数の人物が存在するか否かを検知する処理を行なう。例えば、解析部１０２は、取得情報受付部１０１が受け付けた画像において、顔認識を行なって顔を検知し、検知した顔の数をカウントする。ここでは、例えば、取得情報受付部１０１が受け付けた画像が、上述したような図６（ａ）に示したような画像であるとすると、解析部１０２はこの画像内において顔認識を行なって顔を検知して、顔の数をカウントする。そして、顔が一つしか検知されなかった場合、解析部１０２は、複数の人物しか検知されないと判断し、人数についての予め決められた条件を満たさないと判断する。例えば、図６（ａ）においては、顔が一つしか検知されないため、解析部１０２予め決められた条件を満たさないと判断する。このため、処理部１０４は、安全担保処理を行なわない。そして、解析部１０２は、後述するように、ユーザの動作について解析を行なう。
【０１５５】
ここで、仮に、取得情報受付部１０１が受け付けた画像が、図６（ｃ）に示すような画像であり、この画像から画像認識により顔６１および顔６３が検知されたとすると、検知した顔の数をカウントして、解析部１０２は、複数の人物を検知したと判断する。このため、解析部１０２は、人数に関して、予め決められた条件を満たすと判断する。このため、処理部１０４は、安全担保処理として、給油を禁止する制御指示と、複数の人物が存在することに関する警告を、燃料供給装置２０に送信する。複数の人物が存在することに関する警告は、例えば、複数の人物が存在するために給油ができないこと、および一人で給油することをユーザに求めるテキストの情報であるとする。この警告は、予め図示しない格納部等に格納されているものとする。
【０１５６】
燃料供給装置２０の受付部２０３が、情報処理装置１０の処理部１０４が送信する給油を禁止する制御指示と、警告とを受信すると、燃料供給装置２０の制御部２０５は、受信された制御指示に応じて、供給機２０４が燃料を供給しないように制御する。また、出力部２０６は、受付部２０３が受信した警告を図１０（ｂ）に示すように、モニタ２０６１に表示する。
【０１５７】
情報処理装置１０の解析部１０２は、複数の人物が存在することを一旦検知した場合、取得情報受付部１０１が受け付ける画像を解析して、ユーザが、複数の人物が存在することを検知する処理を、複数の人物が存在することが検知されなくなるまで繰り返し行なう。これにより、複数の人物が存在する間は、安全担保処理が継続されることとなる。そして、解析部１０２が、複数の人物が存在することを検知しなくなった場合、解析部１０２は、予め決められた条件を満たさないと判断する。この判断に応じて、処理部１０４は、給油の禁止を終了する制御指示と、警告の出力を終了する指示とを燃料供給装置２０に送信する。そして、解析部１０２は、ユーザの動作に関する解析を行なう。
【０１５８】
燃料供給装置２０の受付部２０３が、情報処理装置１０の処理部１０４が送信する給油の禁止を終了する制御指示と、警告の出力を終了する指示とを受信すると、燃料供給装置２０の制御部２０５は、受信された制御指示に応じて、供給機２０４による給油の禁止を終了し、給油可能な状態となるよう制御する。また、出力部２０６は警告の出力を終了する。
【０１５９】
画像内に複数の人物が存在することを検知しなかった場合、解析部１０２は、ユーザが予め決められた動作を検知する処理を行なう。ここでの予め決められた動作は、静電除去シート２１０にタッチする動作である。例えば、解析部１０２は、取得情報受付部１０１が受け付けた画像内の静電除去シート２１０が位置する領域２１０ａに、ユーザの手が侵入したか否かを検知する処理を行なう。例えば、静電除去シート２１０が位置する領域２１０ａに対する物体の侵入を検知し、検知した場合に、検知した物体がユーザの手であるか否かを画像認識を行なって判断する。そして、ユーザの手である場合に、静電除去シート２１０にタッチしたことを検知する。それ以外の場合（例えば、領域２１０ａに対する物体の侵入が検知できない場合や、侵入した物体がユーザの手でない場合等）には、タッチしたことを検知しない。例えば、取得情報受付部１０１が受け付けた画像が、図６（ｄ）に示すような画像であったとすると、解析部１０２は、静電除去シート２１０が位置する領域２１０ａ内に物体の侵入を検知し、この物体が手であることを検知して、ユーザが静電除去シート２１０にタッチしたことを検知する。これにより、解析部１０２は、ユーザが静電除去シート２１０にタッチしたと判断して、ユーザの動作が予め決められた条件を満たさないと判断する。このため、処理部１０４は、安全担保処理を行なわない。そして、後述するように、画像受付部２１０が画像を受け付けたか否かの判断処理を行なう。なお、一旦、静電除去シート２１０に対するタッチを検出した以降は、解析部１０２は、ユーザが静電除去シート２１０にタッチしたか否かの検知を行なわずに、ユーザの動作が予め決められた条件を満たさないと判断する。
【０１６０】
ここで、例えば、取得情報受付部１０１が受け付けた画像が、図６（ａ）に示したような画像であるとすると、静電除去シート２１０が位置する領域２１０ａに物体が侵入していないため、解析部１０２は、ユーザが静電除去シート２１０にタッチしていないと判断し、ユーザの動作についての予め決められた条件を満たすと判断する。このため、処理部１０４は、安全担保処理を行なう。処理部１０４は、安全担保処理として、給油を禁止する制御指示と、静電除去シート２１０にタッチしていないことに関する警告とを、燃料供給装置２０に送信する。静電除去シート２１０にタッチしていないことに関する警告は、例えば、静電除去シート２１０にタッチしていないため給油ができないこと、および静電除去シート２１０にタッチすることをユーザに求めるテキストの情報であるとする。この警告は、予め図示しない格納部等に格納されているものとする。
【０１６１】
燃料供給装置２０の受付部２０３が、情報処理装置１０の処理部１０４が送信する給油を禁止する制御指示と、警告とを受信すると、燃料供給装置２０の制御部２０５は、受信された制御指示に応じて、供給機２０４が燃料を供給しないように制御する。また、出力部２０６は、受付部２０３が受信した警告を図１０（ｃ）に示すように、モニタ２０６１に表示する。
【０１６２】
情報処理装置１０の解析部１０２は、静電除去シート２１０にタッチしていないことを一旦、検知した場合、取得情報受付部１０１が受け付ける画像を解析して、ユーザが、静電除去シート２１０にタッチしていないことを検知する処理を、ユーザが静電除去シート２１０にタッチしたことが検知されるまで繰り返し行なう。これにより、静電除去シート２１０にタッチするまでは、安全担保処理が継続される。そして、解析部１０２が、静電除去シート２１０にタッチしたことを検知した場合、解析部１０２は、予め決められた条件を満たさないと判断する。この判断に応じて、処理部１０４は、給油の禁止を終了する制御指示と、警告の出力を終了する指示とを燃料供給装置２０に送信する。なお、一旦、静電除去シート２１０に対するタッチを検出した以降は、解析部１０２は、ユーザが静電除去シート２１０にタッチしたか否かの検知を行なわずに、ユーザの動作が予め決められた条件を満たさないと判断する。
【０１６３】
燃料供給装置２０の受付部２０３が、情報処理装置１０の処理部１０４が送信する給油の禁止を終了する制御指示と、警告の出力を終了する指示とを受信すると、燃料供給装置２０の制御部２０５は、受信された制御指示に応じて、供給機２０４による給油の禁止を終了し、給油可能な状態となるよう制御する。また、出力部２０６は警告の出力を終了する。
【０１６４】
上記のように、ユーザの動作が予め決められた条件を満たさないと判断された場合、画像受付部２１０は、画像の受け付け（ここでは、画像の受信）を終了したか否かの判断処理を行なう。解析部１０２は、画像受付部２１０が画像の受け付けを終了したと判断するまで、上述したようなユーザの保持する物品についての解析、人数についての解析、および動作についての解析を繰り返す。
【０１６５】
燃料供給装置２０の操作受付部２０７は、給油を禁止する制御を制御部２０５から受けていない状態において、ユーザから給油を行なう操作を受け付けたか否かの判断を行なう。そして、操作受付部２０７が、ノズル２１２の給油を行なうレバー等を介して、レバーを握る操作等の、給油を行なうための操作を受け付けた場合、供給機２０４は、ノズル２１２から給油を行なう。
【０１６６】
受付部２０３は、給油開始前も、給油中も、給油を禁止する制御指示および警告を受信したか否かの判断を行なう。この判断は、カメラ２０１による撮影が終了するまで行なわれる。例えば、給油中に、受付部２０３が給油を禁止する制御指示を受信した場合、この制御指示に応じて、制御部２０５が供給機２０４に対して給油を禁止する制御を行なうことで、給油が中断される。また、出力部２０６は、受信した警告を表示する。この給油の中断や警告の出力は、上記と同様に、受付部２０３が給油の禁止を終了する制御指示および警告の出力を終了する指示を受信することによって解除され、給油が再開され、警告の表示も消える。
【０１６７】
供給機２０４は、ユーザ等により指定された量の給油が行なわれたか否かを判断し、指定された量が給油されたと判断した場合に供給機２０４は給油を終了する。
【０１６８】
供給機２０４が、給油を終了すると、カメラ２０１は撮影を終了し、画像出力部３０２は画像の出力を終了する。
【０１６９】
供給関連出力部２０８は、供給機２０４が行なった給油に関する供給関連情報として、レギュラーやハイオク等の給油の種類、給油量、金額、給油開始日時等の情報を、制御部２０５等から取得し、取得した供給関連情報を情報処理装置１０に送信する。取得した供給関連情報は、給油の種類を示す「ハイオク」と、給油量を示す「４０．０」Ｌ、給油開始時刻「１４：２０」であるとする。
【０１７０】
情報処理装置１０の画像受付部２１０は、燃料供給装置２０からの画像の送信が終了すると、画像の受信が終了したと判断する。画像受付部２１０が、画像の受信を終了したと判断した場合、取得部１０７は、燃料供給装置２０から供給関連情報を受信したか否かの判断処理を繰り返す。そして、取得部１０７が供給関連情報を受信した場合、解析蓄積部１０９は、取得部１０７が受信した供給関連情報と、解析部１０２が取得した解析結果のうちの予め決められた１以上の解析結果とを対応付けて、供給関連情報格納部１０８に蓄積する。ここでは、解析結果として、ユーザ識別子「Ｍ１００３」を対応付けて蓄積する。そして、一回の給油について情報処理装置１０が行なう処理が終了する。
【０１７１】
図１１は、供給関連情報格納部１０８に格納された供給関連情報と解析結果とを対応付けて管理するための供給関連情報管理表を示す図である。供給関連情報管理表は、供給関連情報を示す「供給関連情報」とユーザ識別子である「ユーザＩＤ」という属性を有する。「ユーザＩＤ」は、解析部１０２が取得した解析結果の一つである。「供給関連情報」はさらに「種類」、「給油量」、「時刻」という属性を有している。「種類」は供給する燃料の種類名である。「給油量」は給油した量である。「時刻」は、給油開始時刻である。ここでは、図１１の一行目のレコードが、新たに追記された供給関連情報と解析結果であるとする。
【０１７２】
以上、本実施の形態によれば、燃料供給装置２０が有するカメラが撮影した画像の解析結果に応じて処理を行なうことで、移動体に燃料を供給するユーザの状況に応じて適切な処理を行なうことができる。
【０１７３】
例えば、解析結果が予め決められた条件を満たす場合に、安全担保処理を行なって、ユーザが安全な状況でない場合に、燃料供給を禁止したりすることができる。
【０１７４】
なお、上記実施の形態において、情報処理装置１０と燃料供給装置２０とがネットワークを介して接続された個別の装置である場合について説明したが、情報処理装置１０の構成を適宜、燃料供給装置２０の構成に加えて設けるようにして、情報処理装置１０と燃料供給装置２０とを一の燃料供給装置で実現するようにしても良い。この場合、上記実施の形態における情報の送信や受信は、適宜、信号線や配線等を介した情報の出力や入力と読み替えてもよい。また、この場合、情報処理装置１０と燃料供給装置２０との間で情報の送受信を行なうために設けられていた構成等の、省略可能な構成は適宜省略しても良い。また、情報処理装置１０と燃料供給装置２０との間で情報の送受信を行なうために設けられていた構成は、情報の入出力を行なうための構成として用いてもよい。例えば、このような燃料供給装置は、カメラ２０１と、カメラ２０１が撮影した画像を解析する解析部１０２と、解析部１０２の解析結果に応じた処理を行なう処理部１０４とを備えた燃料供給装置である。
【０１７５】
なお、上記実施の形態においては、燃料供給装置２０が有するセンサとして可視光に感度を有するカメラ２０１を用いた場合について説明したが、燃料供給装置２０が有するセンサは、カメラ２０１に限定されるものではない。例えば、このセンサは、解析部が上記において説明したような解析の１以上を行なうことが可能な情報を取得可能なものであればどのようなセンサであってもよい。このセンサは、感知対象物の複数の位置についての情報（例えば、複数の位置についての色や輝度、距離情報等）を取得するセンサであることが好ましい。また、上記実施の形態においては、センサであるカメラ２０１が撮影した画像を解析部１０２が解析する場合について説明したが、解析部１０２は、センサが取得した情報である取得情報を用いて上記のような解析のうちの１以上を行なうものであればよい。この場合、上記実施の形態においてカメラ２０１が撮影した画像について説明した箇所は、適宜に、センサが取得した取得情報に読み替えるようにすればよい。例えば、カメラ２０１が撮影した画像を受け付ける取得情報受付部１０２を、センサが取得した取得情報を受け付ける取得情報受付部１０２に読み替えるようにすればよい。また、取得情報受付部１０２が受け付けた画像を解析する解析部１０２を、取得情報受付部１０２が受け付けた取得情報を解析する解析部１０２と読み替えるようにすればよい。
【０１７６】
例えば、燃料供給装置２０が有するセンサが、赤外線に感度を有する赤外線センサであってもよく、センサが取得する取得情報は、赤外線センサが取得した赤外線画像であってもよい。この場合、例えば、上記の実施の形態の説明におけるカメラ２０１が撮影した画像は、適宜、赤外線画像と読み替えるようにすればよい。ここでの赤外線センサは、複数の光電変換素子を平面状に配置したセンサであることが好ましい。例えば、この赤外線センサは、いわゆる赤外線サーモグラフィーであってもよい。なお、赤外線画像から、解析部１０２が上記のような解析を行なう処理は、公知技術であるため、ここでは詳細な説明は省略する。なお、赤外線画像においては、赤外線の強度分布を知ることができるため、火気の検出が容易となる。同様に、人間の体温を検出して、人間の居る位置を特定することで、人間の人数を検出することが容易になる。
【０１７７】
また、例えば、燃料供給装置２０が有するセンサは、赤外線を用いて距離画像を取得するいわゆる赤外線距離センサであってもよく、センサが取得する取得情報が、距離画像であってもよい。この場合、例えば、上記の実施の形態の説明におけるカメラ２０１が撮影した画像は、適宜、距離画像と読み替えるようにすればよい。距離画像とは、例えば、画像の各画素を色の値で表す代わりに、被写体までの距離を示す値で表した画像である。距離画像については、公知技術であるため、ここでは詳細な説明は省略する。また、距離画像から、解析部１０２が上記のようなユーザの動作等の解析を行なう処理は、公知技術であるため、ここでは詳細な説明は省略する。
【０１７８】
なお、燃料供給装置２０が有するセンサは、上記のようなセンサの２以上の組合せであっても良い。
【０１７９】
また、上記実施の形態において、各処理（各機能）は、単一の装置（システム）によって集中処理されることによって実現されてもよく、あるいは、複数の装置によって分散処理されることによって実現されてもよい。
【０１８０】
また、上記実施の形態において、一の装置に存在する２以上の通信手段（画像出力部や供給関連出力部など）は、物理的に一の媒体で実現されても良いことは言うまでもない。
【０１８１】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、格納部（例えば、ハードディスクやメモリ等の記録媒体）にアクセスしながらプログラムを実行してもよい。
【０１８２】
なお、上記各実施の形態における情報処理装置１０を実現するソフトウェアは、以下のようなプログラムである。つまり、このプログラムは、コンピュータを、移動体に燃料を供給する燃料供給装置が有するセンサで取得された取得情報を受け付ける取得情報受付部と、取得情報受付部が受け付けた取得情報を解析する解析部と、解析部の解析結果に応じた処理を行なう処理部として機能させるためのプログラムである。
【０１８３】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【０１８４】
また、このプログラムを実行するコンピュータは、単数であってもよく、複数であってもよい。すなわち、集中処理を行ってもよく、あるいは分散処理を行ってもよい。
【０１８５】
図１２は、上記プログラムを実行して、上記実施の形態による情報処理装置等を実現するコンピュータの外観の一例を示す模式図である。上記実施の形態は、コンピュータハードウェア及びその上で実行されるコンピュータプログラムによって実現されうる。
【０１８６】
図１２において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５を含むコンピュータ９０１と、キーボード９０２と、マウス９０３と、モニタ９０４とを備える。
【０１８７】
図１３は、コンピュータシステム９００の内部構成を示す図である。図１３において、コンピュータ９０１は、ＣＤ−ＲＯＭドライブ９０５に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０１８８】
コンピュータシステム９００に、上記実施の形態による情報処理装置等の機能を実行させるプログラムは、ＣＤ−ＲＯＭ９２１に記憶されて、ＣＤ−ＲＯＭドライブ９０５に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１、またはネットワークから直接、ロードされてもよい。
【０１８９】
プログラムは、コンピュータ９０１に、上記実施の形態による情報処理装置等の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０１９０】
本発明は、以上の実施の形態に限定されることなく、種々の変更が可能であり、それらも本発明の範囲内に包含されるものであることは言うまでもない。
【産業上の利用可能性】
【０１９１】
以上のように、本発明にかかる情報処理装置等は、燃料供給時の情報を処理する装置等として適しており、特に、燃料供給装置を利用するユーザの状況に応じて処理を行なう装置等として有用である。
【符号の説明】
【０１９２】
１  燃料供給システム
１０  情報処理装置
２０  燃料供給装置
１０１  取得情報受付部
１０２  解析部
１０３  ユーザ認識情報格納部
１０４  処理部
１０５  ユーザ情報格納部
１０６  ユーザ情報出力部
１０７  取得部
１０８  供給関連情報格納部
１０９  解析蓄積部
１１０  属性対応情報格納部
１１１  属性対応出力部
２０１  カメラ
２０２  取得情報出力部
２０３  受付部
２０４  供給機
２０５  制御部
２０６  出力部
２０７  操作受付部
２０８  供給関連出力部
２１０  静電除去シート
【図１】
2019218095.tif 000003
【図２】
2019218095.tif 000004
【図３】
2019218095.tif 000005
【図４】
2019218095.tif 000006
【図５】
2019218095.tif 000007
【図６】
2019218095.tif 000008
【図７】
2019218095.tif 000009
【図８】
2019218095.tif 000010
【図９】
2019218095.tif 000011
【図１０】
2019218095.tif 000012
【図１１】
2019218095.tif 000013
【図１２】
2019218095.tif 000014
【図１３】
2019218095.tif 000015